(57)【要約】【課題】  高い排水効率を安定維持できる床構造を提供することを課題とする。また、施工性の良好な床構造を提供することを課題とする。【解決手段】  排水経路に連通する根太水路５２を内部に設けるとともに上部に開口部を設ける根太本体５３を有して並列に載置される複数の根太５０と、根太５０を床上に支承するとともに根太５０の高さ位置を可変する根太受け体４３と、各根太本体５３の間に架設された床パネル８０と、を備え、根太５０は床パネル８０から滴下する液体を開口部から根太水路５２に受ける床構造。【選択図】  図１
2008196156.tif 000002
【特許請求の範囲】
【請求項１】
排水経路に連通する根太水路を内部に設けるとともに上部に開口部を設ける根太本体を有し、並列に載置される複数の根太と、
前記根太を床上に支承するとともに根太の高さ位置を可変する根太受け体と、
前記各根太本体の間に架設された床パネルと、を備え、
前記根太は前記床パネルから滴下する液体を開口部から根太水路に受ける床構造。
【請求項２】
前記根太受け体は、根太に当接して荷重を受ける根太受け本体部と、この根太受け本体部を床側から支持する束部とを有し、前記根太受け本体部と束部とは脱着可能に設けられ、さらに前記根太受け体は、根太受け本体部と束部との接合位置を上下動する位置調整部を有する請求項１記載の床構造。
【請求項３】
前記根太受け本体部は、当接した根太の外方に延びる拡開部を備え、この拡開部は外側に開放する切欠部を有し、
前記束部は、上下方向に延びるボルトを有し、このボルトが前記切欠部に嵌挿して根太受け本体部と束部が接合する請求項２記載の床構造。
【請求項４】
前記根太受け体は、前記束部側に固定され前記ボルトを内挿する固定ナットと、前記根太受け本体部側に位置し前記ボルトを内挿するロックナットと、前記ボルトに固定された回り止め部とを備え、
前記ボルトの回転により前記根太受け本体部と束部との相対位置が上下方向に可変する請求項３記載の床構造。
【請求項５】
前記根太受け本体部と束部との間に、緩衝材を介在させた請求項２〜４のいずれかに記載の床構造。
【発明の詳細な説明】
【技術分野】
【０００１】
本発明は、床構造に関し、さらに詳細には、床への散水によって床面の洗浄が可能な床構造に関する。
【背景技術】
【０００２】
この種の床構造として、本発明者が先に発明した下記特許文献に記載の床構造が知られている。
より詳しくは、内部に水通路を有する大引上に樋形状をなす根太を複数並べて載置し、さらに端部がこの根太の上方に位置するように根太間に架設・位置決めされた矩形の床パネルを備えて床構造が構成されている。また、洗浄に伴って床パネル上に散水された水は、床パネルの端部から樋形状をなす根太に滴り落ち、根太内に滴り落ちた水は、根太の内側を通じて大引内部の水通路に流れ込み、大引に設けられる排水口を通じて外部に排水される構造になっている。
【特許文献１】特開２００２−２２７３７８号公報
【発明の開示】
【発明が解決しようとする課題】
【０００３】
前記公報に開示された床構造は、井桁状の構造体にて細かく排水手段を講じてあるため、良好に排水を行えるものである。しかし、本発明者らは、高い排水効率をより安定して維持できる床構造の研究を行った結果、高い排水効率と共に良好な施工性を有する床構造の必要性をみいだした。
【０００４】
本発明は、このような技術的背景を考慮してなされたものであり、施工性の良好な床構造を提供することを課題とする。また、高い排水効率を安定維持できる床構造を提供することを課題とする。
【課題を解決するための手段】
【０００５】
上記した技術的課題を解決するため、本発明では以下の構成を採用した。
すなわち本発明は、排水経路に連通する根太水路を内部に設けるとともに上部に開口部を設ける根太本体を有して並列に載置される複数の根太と、前記根太を床上に支承するとともに根太の高さ位置を可変する根太受け体と、前記各根太本体の間に架設された床パネルと、を備え、前記根太は前記床パネルから滴下する液体を開口部から根太水路に受ける床構造とした。
【０００６】
前記根太受け体は、根太に当接して荷重を受ける根太受け本体部と、この根太受け本体部を床側から支持する束部とを有し、前記根太受け本体部と束部とは脱着可能に設けられ、さらに前記根太受け体は、根太受け本体部と束部との接合位置を上下動する位置調整部を有する構成とすることができる。
【０００７】
また、前記根太受け本体部は、当接した根太の外方に延びる拡開部を備え、この拡開部は外側に開放する切欠き部を有し、前記束部は、上下方向に延びるボルトを有し、このボルトが前記切欠き部に嵌挿して根太受け本体部と束部が接合する構成とすることができる。
【０００８】
また、前記根太受け体は、前記束部側に固定され前記ボルトを内挿する固定ナットと、前記根太受け本体部側に位置し前記ボルトを内挿するロックナットと、前記ボルトに固定された回り止め部とを備え、前記ボルトの回転により前記根太受け本体部と束部との相対
位置が上下方向に可変する構成とすることができる。
【０００９】
また、前記根太受け本体部と束部との間に、緩衝材を介在させた構成とすることができる。
【００１０】
また、前記根太受け部は、各根太の長手方向における複数箇所に設けることができる。
前記位置調整部は、床面から根太受け本体部までの高さ位置を検出する検出部を備えることができる。
【００１１】
なお、上記した課題を解決するための手段に記載の内容は、本発明の課題や技術的思想を逸脱しない限りにおいて、可能な限り組み合わせることができる。
【発明の効果】
【００１２】
本発明によれば、施工性の良好な床構造を提供することができる。また、高い排水効率を安定維持できる床構造を提供することができる。
【発明を実施するための最良の形態】
【００１３】
以下、図面を参照して本発明の好適な実施の形態を説明する。
本実施形態に示す床ユニット（床構造）は、鋼材により形成された根太５０を、根太受け体４３を介して床スラブ１００上に支持して構築してある。そして、直線状の根太５０を所定間隔を開けて平行に複数本、床スラブ１００上に配置している。
【００１４】
前記根太５０は、内部に根太水路５２を有する根太本体５３によって構成されている。
前記各根太５０間の所定間隔は、後述する床パネル８０の横方向の幅に対応して設定されている。また、根太本体５１は上部が開口した樋形状をなしている。
【００１５】
根太本体５３は、底面部５１ａと、この底面部５１ａから立ち上がる側面部５１ｂ、５１ｂと、側面部５１ｂ、５１ｂの上端に連設して内方に向かう上面部５１ｃ、５１ｃと、上面部５１ｃ、５１ｃの先端に連設して下方に向かう段部５１ｄ、５１ｄを備えている。そして、一方の段部５１ｄと他方の段部５１ｄの間は離反しており、開口を形成している。また、側面部５１ｂ、５１ｂには、外面に凹条を呈する屈曲部５１ｅ、５１ｅが形成されている。
根太５０の長手方向における複数箇所には、根太５０を床スラブ１００の上方に支承する根太受け部４３が取り付けられている。
【００１６】
根太受け部４３は、根太５０に当接する根太受け本体部４０と、根太受け本体部４０に接続して床スラブ１００上に根太５０を支持する束部２０から構成されている。
【００１７】
根太受け本体部４０は、所定幅の長方形状鉄板をプレス・打ち抜き加工して形成してあり、前記根太本体５３の幅方向の外形に対応する形状となっている。すなわち、根太受け本体部４０は、底面部４０ａと、底面部４０ａの両端から立設する側面部４０ｂ，４０ｂと、側面部４０ｂ、４０ｂの上端から外方に向けて延設される拡開部４０ｃ，４０ｃとを備えている。また、側面部４０ｂ，４０ｂの中段には内側に向けた突条である屈曲部４０ｅ，４０ｅが形成されており、前記根太受け本体部５３の屈曲部５１ｅ、５１ｅに係合するようになっている。なお、拡開部４０ｃ、４０ｃの先端には、下方に折曲する折曲部４０ｄ、４０ｄが形成されている。
【００１８】
また、拡開部４０ｃ，４０ｃの幅方向中心部には、切欠部４５，４５が形成されている。この切欠部４５，４５は、拡開部４０ｃ、４０ｃの略中心に位置する円状切欠部４５ｂ、４５ｂと、円状切欠部４５ｂ、４５ｂに連なり拡開部４０ｃ、４０ｃの外端部に至るガ
イド切欠部４５ａ，４５ａとから構成されている。
【００１９】
前記根太受け本体部４０に接続する束部２０は、根太受け本体部４０と同一幅のＣ型鋼材を基に形成されている。すなわち、束部２０は、底面部２０ａと、底面部２０ａの内端から立設する内側部２０ｂと、底面部２０ｂの外端から立設する外側部２０ｄと、前記内側部２０ｂの上端に連設する上面部２０ｃと、この上面部２０ｃの先端から垂下する外側部２０ｅとを備えている。前記上面部２０ｃの中心部には、ボルト３０を嵌挿する穴２０ｆが形成されており、この穴２０ｆの下方（上面部２０ｃの裏面）には、固定ナット３３が溶接固定されている。
【００２０】
そして、穴２０ｆ及び固定ナット３３に嵌挿されるボルト３０には、円盤部３５が前記上面部２０ｃの上方に位置するよう取り付けられている。また、この円盤部３５の上部には、弾性部材３８が載置されている。また、ボルト３０の上部には、下面に鍔部３２ａを有するロックナット３２が取り付けられている。なお、円盤部３５の外周には、舌片３５ａが中心部から９０度間隔にて４個設けられている。
【００２１】
また、底面部２０ａの裏面には、弾性材７０が取り付けられている。
そして、一対の前記束部２０と、一つの根太受け本体部４０により、一組の根太受け部４３が構成されている。
床パネル８０の上部には、矩形天板の四隅を切り欠いた形状の床仕上材８１が設けられている。床パネル８０は、隣接する根太５０，５０間に跨るように載置されており、これら複数の床パネル８０（床仕上材８１）によって全体床面が形成されている。床パネル８０は、凹状に屈曲された補強部を有する芯材上に、床面材となる蓋部を固定することにより構成されている。そして、横方向に隣接する床パネル８０間には、間隙部５５が形成され、この間隙部５５の下方に根太本体５３の上部開口が位置し、床上空間と根太水路５２の内部空間とが連通することとなる。
【００２２】
また、隣接する床パネル８０の角部（隅部）間には、矩形天板９０が設けられている。この矩形天板９０の下方には、図８に示すように、床パネル８０の隅部間に載置される皿部９２が設けられている。この皿部９２は、係合片９７によって根太本体５３に固定される係合板９５と、ボルト９３を介して位置固定されている。
【００２３】
次に、本実施形態の床構造の施工例について説明する。
根太５０、根太受け体４３、床パネル８０は、それぞれ工場にて生産され、施工現場にて組立られる。
【００２４】
施工現場では、各根太５０の長手方向における複数箇所に、根太受け本体部４０を取り付ける。この取り付けは、根太受け本体部４０の屈曲部４０ｅと根太本体５３の屈曲部５１ｅとが嵌合することにより行われる。
【００２５】
次に、床スラブ１００上に、根太受け本体部４０が取り付けられた複数の根太５０を、所定間隔（床パネル８０の幅に基づく間隔）にて並列載置する。この際、根太５０の下方には、木材等の仮台を置いておくとよい。
【００２６】
次に、各根太受け本体部４０に、束部２０を取り付ける。束部２０は、ボルト３０が穴２０ｆ及び固定ナット３３に嵌挿されるとともに、ロックナット３２がボルト３０に緩めて取り付けられた状態であり、前記円盤部３５及び弾性材３８が根太受け本体部５３の上面部４０ｃの裏面側に位置するように、ボルト３０の上部を、ガイド切欠部４５ａから円状切欠部４５ｂまで横方向に挿入する。この挿入動作は、根太受け本体部４０の側方（根太本体５３の側方）から、束部２０を垂直に立てたまま、水平移動させればよく、束部２
０を傾斜させたり、ボルト３０を束部２０から取り外す必要はない。
【００２７】
そして、ロックナット３２を拡開部４０ｃに接するまで締める。この際、ロックナット３２の鍔部３２ａは円状切欠部４５ｂ内に入り込む。また、ボルト３０の固定ボルト３３に対する上下位置は、予め設定された位置（０点位置）となっており、束部２０の下端から根太本体５３の上端（上面部５１ｃ）までの高さが一定となるように設定されている。
各束部２０の各根太受け本体部４０への取り付けが完了した後、前記仮台を根太５０の下方から取り外す。
【００２８】
次に、各根太５０が水平となるように、根太受け本体部４０の高さ調整を行う。すなわち、床スラブ１００表面の段差や、床パネル８０等の部材の成形誤差に起因する高さ誤差を解消するために、根太受け本体部４０を上下動させる。これには、ボルト３０を回転させることにより、円盤部３５が弾性材３８と共に上下動し、この円盤部３５の上下動に対応して、根太受け本体部４０が上下動する。そして、根太受け本体部４０の上下位置決めがなされたら、円盤部３５の舌片３５ａを、ガイド切欠部４５ｂ内から拡開部４０ｃの上方に突出するよう折り曲げ、ボルト３０の回り止めとする。なお、舌片３５ａの折り曲げ作業にあたっては、根太受け本体部４０の位置決めを行った際に、ガイド切欠部４５ａに最も近接する舌片３５ａがガイド切欠部４５ａの下方に位置するように、ボルト３０の回転を微調整するとよい。
【００２９】
なお、根太水路５２の長手方向における排水勾配を設定するよう、各束部２０を調整することもできる。排水勾配としては、１００分の１から２００分の１程度あればよいので、仮に根太５０の全長が１０メートルだとすると、根太本体５３の一端部を、他端部より５０ミリメートル持ち上げれば、２００分の１の勾配を得ることができる。
【００３０】
そして、根太本体５３の位置決め作業が完了した後、床パネル８０を各根太５０間に架設する。そして、各床パネル８０の隅部付近に、矩形天板９０を取り付けて、床パネル８０及び矩形天板９０により全体床を形成し、施工は終了する。
【００３１】
そして、床パネル８０上に洗浄水を散水すると、洗浄水は間隙部５５から根太５０の根太水路５２に滴下し、設定された勾配により流れ、根太水路５２に連通する排水路に排水される。
【００３２】
以上のように、本実施形態の床構造によれば、根太の高さ調整を含めた床の施工を簡易な作業で行うことができる。したがって、施工現場の床スラブの段差や、床構造製品の成形誤差があったとしても、床パネルを水平に施工する作業、又は排水勾配を設ける施工作業等を、簡易な作業で短時間にて行うことができる。
本実施形態の床構造によれば、根太水路に、所望の勾配を容易に設定することができ、高い排水効率と簡易な施工性を実現することができる。
【図面の簡単な説明】
【００３３】
【図１】本発明の実施の形態における床構造の部分断面図。
【図２】本実施形態における根太受け部の上面図。
【図３】本実施形態における根太受け部の部分斜視図。
【図４】本実施形態における要部の断面図。
【図５】本実施形態における要部の断面図。
【図６】本実施形態における床構造の全体斜視図。
【図７】図６に示す破線Ｂ部分の拡大斜視図。
【図８】本実施形態における要部の断面図。
【符号の説明】
【００３４】
２０ｆ  穴
３０    ボルト
３２    ロックナット
３３    固定ナット
４０    根太受け本体部
４０ｃ  拡開部
４３    根太受け体
４５    切欠部
４５ａ  ガイド切欠部
４５ｂ  円状切欠部
５０    根太
５１ａ  底面部
５１ｂ  側面部
５１ｃ  上面部
５１ｄ  段部
５１ｅ  屈曲部
５２    根太水路
５３    根太本体
７０    弾性材
８０    床パネル
９０    矩形天板
１００    床スラブ
【図１】
2008196156.tif 000003
【図２】
2008196156.tif 000004
【図３】
2008196156.tif 000005
【図４】
2008196156.tif 000006
【図５】
2008196156.tif 000007
【図６】
2008196156.tif 000008
【図７】
2008196156.tif 000009
【図８】
2008196156.tif 000010